(57)【要約】      （修正有）【課題】使用に便利で快速識別の目的を達成するソケットレンチの提供。【解決手段】ソケットレンチ外部に歯状外形の係止部が設けられ、並びに係止部の間に表示部が設けられ、係止部の歯形がブローチ削りで一体成形で形成され、全体のソケットレンチの同径の径体外部に歯形が設けられた後、ミリング方式で表示部が形成され、更に転造加工方式で表示構造が形成され、そのうち、係止部の歯形は離間配置され且つ異なる歯形が設置可能で、並びにソケットレンチの同径の径体外部両端にそれぞれ係止部が設けられ、手部による挟持回転に合わせた形態とする。【選択図】図１
0003107321.tif 000002
【実用新案登録請求の範囲】
【請求項１】
ソケットレンチにおいて、ソケットレンチの等径部分外部に歯状の構造が設けられ、ソケットレンチ外部に操作部と表示部が設けられ、操作部に連続形態の歯状部と該歯状部とは異なるピッチ及び歯形の離間歯状部が設けられ、表示部に連続する一周の表示構造が設けられて識別に便利とされたことを特徴とする、ソケットレンチ。
【請求項２】
請求項１記載のソケットレンチにおいて、ソケットレンチの操作部は等径部分の外部に設けられた歯状の構造とされたことを特徴とする、ソケットレンチ。
【請求項３】
請求項１記載のソケットレンチにおいて、ソケットレンチの等径部分の軸方向の両端に操作部が設けられ、両端の操作部の間に表示部が設けられたことを特徴とする、ソケットレンチ。
【請求項４】
ソケットレンチにおいて、ソケットレンチの表示部内に設置された表示構造が表示体を具え、該表示体は三角状の形態とされ、表示体間に表示区が形成されたことを特徴とする、ソケットレンチ。
【請求項５】
請求項４記載のソケットレンチにおいて、表示体及び表示区内に商標、被駆動工作物のインチ及び又はメートル制サイズ表示、被駆動工作物のトルク値が表示されて使用者が直接工作物の許容トルク、サイズ及びメーカー情報を識別できることを特徴とする、ソケットレンチ。
【請求項６】
請求項１又は２記載のソケットレンチにおいて、操作部において離間配置された歯状部或いは離間歯状部がスムーズな円弧面とされたことを特徴とする、ソケットレンチ。
【請求項７】
請求項４記載のソケットレンチにおいて、表示部外部に環状の表示本体が嵌合され、該表示本体に複数の表示体と表示区が設けられたことを特徴とする、ソケットレンチ。
【請求項８】
請求項７記載のソケットレンチにおいて、表示本体に斜めの割り溝が設けられたことを特徴とする、ソケットレンチ。
【考案の詳細な説明】
【技術分野】
【０００１】
本考案は一種のソケットレンチに係り、ソケットレンチの等径の外部端にブローチで切削する方式で全周に位置する歯型を形成し、更にミルで切削する方式で、旋削方式で両端近くの歯形操作部と平面形態の表示部を形成して連環表示に供し、使用に便利で速やかに識別できる目的を達成するソケットレンチに関する。
【背景技術】
【０００２】
現在、ソケットレンチ外部の構造形態は十分に多様化し、そのうち、ソケットレンチ外部にエンボス加工を施したものは、ソケットレンチ外部に環状のエンボス構造が設けられ、摩擦を増す効果を得ているが、このような構造はその摩擦効果が有限である。またソケットレンチ外部に全体的或いは部分的に紋路が形成されたもの、或いはソケットレンチ外部に平面、円弧面が離間設置されたもの、或いは連続凹凸歯形が組み合わされたもの、或いは内、外が多角構造とされたものなどがあるが、どのような外部の構造であっても、そのソケットレンチ構造は工作物を駆動する機能のほか、使用者が識別できる機能を具備する必要がある。即ちソケットレンチ表面にはサイズの表示或いは商標パターンが印刷される必要があるが、前述の周知の各種ソケットレンチの設計の多くは表示上の問題を考慮しておらず、表示機能を全く具備しないものさえあり、その表示性は非常に低く、全体的な規格がなく、改良の必要がある。
【考案の開示】
【考案が解決しようとする課題】
【０００３】
本考案は、使用上の便利性と実用性を共に具備させると共に、外部の識別性を具備させたソケットレンチを提供するものである。
【０００４】
即ち、本考案の主要な目的は、一種のソケットレンチを提供することにあり、それは、ソケットレンチの等径部分の外部に歯状の構造が設けられ、並びに両端に操作部と表示部が形成され、表示部が二つの操作部の間に設けられて高い識別形態の表示構造を形成し、並びにツーセクション式の操作部により高トルク及び高い実用性、便利性の構造形態を有するものとされる。
【課題を解決するための手段】
【０００５】
請求項１の考案は、ソケットレンチにおいて、ソケットレンチの等径部分外部に歯状の構造が設けられ、ソケットレンチ外部に操作部と表示部が設けられ、操作部に連続形態の歯状部と該歯状部とは異なるピッチ及び歯形の離間歯状部が設けられ、表示部に連続する一周の表示構造が設けられて識別に便利とされたことを特徴とする、ソケットレンチとしている。
請求項２の考案は、請求項１記載のソケットレンチにおいて、ソケットレンチの操作部は等径部分の外部に設けられた歯状の構造とされたことを特徴とする、ソケットレンチとしている。
請求項３の考案は、請求項１記載のソケットレンチにおいて、ソケットレンチの等径部分の軸方向の両端に操作部が設けられ、両端の操作部の間に表示部が設けられたことを特徴とする、ソケットレンチとしている。
請求項４の考案は、ソケットレンチにおいて、ソケットレンチの表示部内に設置された表示構造が表示体を具え、該表示体は三角状の形態とされ、表示体間に表示区が形成されたことを特徴とする、ソケットレンチとしている。
請求項５の考案は、請求項４記載のソケットレンチにおいて、表示体及び表示区内に商標、被駆動工作物のインチ及び又はメートル制サイズ表示、被駆動工作物のトルク値が表示されて使用者が直接工作物の許容トルク、サイズ及びメーカー情報を識別できることを特徴とする、ソケットレンチとしている。
請求項６の考案は、請求項１又は２記載のソケットレンチにおいて、操作部において離間配置された歯状部或いは離間歯状部がスムーズな円弧面とされたことを特徴とする、ソケットレンチとしている。
請求項７の考案は、請求項４記載のソケットレンチにおいて、表示部外部に環状の表示本体が嵌合され、該表示本体に複数の表示体と表示区が設けられたことを特徴とする、ソケットレンチとしている。
請求項８の考案は、請求項７記載のソケットレンチにおいて、表示本体に斜めの割り溝が設けられたことを特徴とする、ソケットレンチとしている。
【考案の効果】
【０００６】
即ち、本考案の主要な目的は、一種のソケットレンチを提供することにあり、それは、ソケットレンチの等径部分の外部に歯状の構造が設けられ、並びに両端に操作部と表示部が形成され、表示部が二つの操作部の間に設けられて高い識別形態の表示構造を形成し、並びにツーセクション式の操作部により高トルク及び高い実用性、便利性の構造形態を有するものとされる。
【考案を実施するための最良の形態】
【０００７】
図１に示されるように、本考案のソケットレンチ１０は、等径部分の外周に縦方向の歯状構造が設けられ、並びにソケットレンチ１０の等径部の両端に操作部１１が形成され、両端の操作部１１部の間に表示部１２が形成され、そのうち、操作部１１には等分形態を以て連続形態の大形歯状部１１０とそれより低い円弧面で異なるピッチ及び歯形が形成された離間歯状部１１１が配置され、全体外観が良くされているほか、全体の実用性能が高められ、表示部１２は転造加工により連続する表示体２０が形成され、識別に便利とされている。
【０００８】
そのうち、表示体２０は三角形態の区域であり、並びに二つの表示体２０の間に別に表示区２１が形成されている。図１に示されるのは、小型サイズ及びトルク値設定の表示システムとされ、図２、３は大形の表示システムとされるが、その表示の構造はいずれも三角形の表示体２０と表示体２０間の表示区２１を具えている。そのうち、表示体２０と表示区２１は等分配置されている。表示体２０と表示区２１内には、例えば、ボルトの型番或いはボルト頭の直径或いは駆動される工作物の駆動トルク値の或いはその他の商標パターンを表示可能で、その表示体２０内に商標或いは駆動される工作物のサイズ或いは許容トルク値が表示され、表示区２１内にはメートル制のサイズ等が示される。三角形の表示体２０は工具箱への放置或いは挿入の方向を指示するほか、工作物を駆動する時に遵守すべき方向を指示し、表示体２０内の商標はメーカーを表示する。駆動される工作物のサイズが使用者に告知されるほか、駆動される工作物自身の物理特性により、ソケットレンチ１０の工作物に対する最大の力のモーメントがどれほどかを知る事ができ、また、直接表示体２０に工作物の最大トルク値が表示されることで、使用者がスパナで駆動する時に、加えることのできるトルク値がどれほどかを知ることができ、ソケットレンチ１０を回し過ぎて工作物を破壊するのを防止する。表示区２１内にはその他の情報、例えば駆動される工作物のメートル制のサイズ等が表示されうるほか、必要に応じて異なる情報が表示され、且つ必要に応じてインチ制或いはメートル制のサイズ表示或いは商標或いはその他のパターンが設けられる。
【０００９】
前述の構造は以下のような優れた点を有している。
１．使用に便利で速やかに使用できる。
使用上、直接両端部の操作部１１を駆動し、ソケットレンチ１０の操作部１１はその等径部分の両端に設けられているため、使用者が一端、或いは中央部分のいずれを握持する時も、有効な摩擦性能を提供し、使用上、便利であり、速やかに使用でき、且つ離間配置された歯状部１１０と離間歯状部１１１の設置により、使用者は図６に示される方式で握持して各手指を歯状部１１０に置く事ができるほか、離間歯状部１１１に置く事ができ、これにより異なる摩擦力を提供し、同様に摩擦駆動の効果を達成できる。
２．明確且つ正確に識別できる。
本考案のソケットレンチ１０は操作部１１の間に表示部１２が設けられ、且つ該表示部１２は全周設計とされ、使用者がどの角度から表示されるパターン及び文字を見ても、速やかに判断できて便利であり、且つ誤判断の可能性がなく、作業上の効率を高め、更にその三角形の表示区２１の尖端の指向性により明確にソケットレンチ１０の工作物との係止端を指示し、工作物或いは工具との組合せを速やかに行なえる。
【００１０】
また、図１の実施例では、ソケットレンチ１０の駆動端の外径は小さく、且つテーパ状に形成され、これにより両端の操作部１１と表示部１２が組み合わされた構造形態は工具に組み合わされる外部が等径の結合端に設けられ、ソケットレンチ１０の結合端が小径で駆動端が大径の形態である時は、本考案の両端の操作部１１と中央の表示部１２からなる構造形態は外部の等径の駆動端部分に設置可能である。図７に示されるように、ソケットレンチ１０が全体が等径の構造形態である時、全体に本考案の両端の操作部１１と中央の表示部１２からなる設計を設置可能である。本考案の構造は、操作部１１において歯状部１１０と離間歯状部１１１が離間設置される代わりに、図８に示されるように、離間歯状部１１１が円弧形のスムーズ面とされた形態も可能であり、使用者により選択使用される。このスムーズな円弧面は歯状部１１０の代わりに設置可能である。また、二つの操作部１１の外端部に別に異なる長さの細頸部を設置可能である。
【００１１】
また、図９に示されるように、本考案の表示部１２には環状の表示本体１２０を嵌合可能で、その表示本体１２０には複数の表示体２０及び表示部１２が設けられ、前述の実施例と同様の表示の目的を達成する。また、表示本体１２０の斜めに割り溝１２１が設けられ、弾性的に表示部１２に嵌合可能とされ得る。
【００１２】
総合すると、本考案は確実に上述の諸機能を達成し、ゆえに本考案は実用新案登録の要件を具備している。
【図面の簡単な説明】
【００１３】
【図１】本考案の立体外観図である。
【図２】本考案のその他のサイズ表示の側面平面図である。
【図３】本考案の図２に示されるものと同じサイズ表示図である。
【図４】本考案の側面使用状態参考図である。
【図５】本考案の使用状態参考図である。
【図６】本考案の第２実施例図である。
【図７】本考案の第３実施例図である。
【図８】本考案の第４実施例図である。
【図９】本考案の第５実施例図である。
【符号の説明】
【００１４】
１０  ソケットレンチ
１１  操作部
１１０  歯状部                １１１  離間歯状部
１２  表示部                  １２０  表示本体
１２１  割り溝
２０  表示体                  ２１  表示区
【図１】
0003107321.tif 000003
【図２】
0003107321.tif 000004
【図３】
0003107321.tif 000005
【図４】
0003107321.tif 000006
【図５】
0003107321.tif 000007
【図６】
0003107321.tif 000008
【図７】
0003107321.tif 000009
【図８】
0003107321.tif 000010
【図９】
0003107321.tif 000011
【手続補正書】
【提出日】平成16年9月29日(2004.9.29)
【手続補正１】
【補正対象書類名】実用新案登録請求の範囲
【補正対象項目名】全文
【補正方法】変更
【補正の内容】
【実用新案登録請求の範囲】
【請求項１】
ソケットレンチにおいて、ソケットレンチの等径部分外部に歯状の構造が設けられ、ソケットレンチ外部に操作部と表示部が設けられ、操作部に連続形態の歯状部と該歯状部とは異なるピッチ及び歯形の離間歯状部が設けられ、表示部に連続する一周の表示構造が設けられて識別に便利とされたことを特徴とする、ソケットレンチ。
【請求項２】
請求項１記載のソケットレンチにおいて、ソケットレンチの操作部は等径部分の外部に設けられた歯状の構造とされたことを特徴とする、ソケットレンチ。
【請求項３】
請求項１記載のソケットレンチにおいて、ソケットレンチの等径部分の軸方向の両端に操作部が設けられ、両端の操作部の間に表示部が設けられたことを特徴とする、ソケットレンチ。
【請求項４】
請求項１又は２記載のソケットレンチにおいて、操作部において離間配置された歯状部或いは離間歯状部がスムーズな円弧面とされたことを特徴とする、ソケットレンチ。
【手続補正２】
【補正対象書類名】明細書
【補正対象項目名】０００５
【補正方法】変更
【補正の内容】
【０００５】
請求項１の考案は、ソケットレンチにおいて、ソケットレンチの等径部分外部に歯状の構造が設けられ、ソケットレンチ外部に操作部と表示部が設けられ、操作部に連続形態の歯状部と該歯状部とは異なるピッチ及び歯形の離間歯状部が設けられ、表示部に連続する一周の表示構造が設けられて識別に便利とされたことを特徴とする、ソケットレンチとしている。
請求項２の考案は、請求項１記載のソケットレンチにおいて、ソケットレンチの操作部は等径部分の外部に設けられた歯状の構造とされたことを特徴とする、ソケットレンチとしている。
請求項３の考案は、請求項１記載のソケットレンチにおいて、ソケットレンチの等径部分の軸方向の両端に操作部が設けられ、両端の操作部の間に表示部が設けられたことを特徴とする、ソケットレンチとしている。
請求項４の考案は、請求項１又は２記載のソケットレンチにおいて、操作部において離間配置された歯状部或いは離間歯状部がスムーズな円弧面とされたことを特徴とする、ソケットレンチとしている。